(57)【要約】      （修正有）【課題】日用品などを被保持物として保持部に引っ掛けておく便宜が得られ、簡便で使い易い引掛け壁面体、小物入れおよび棚箱を提供する。【解決手段】引掛手段１２の刺込み部（金属線部）を差込み孔部１０に挿入することで、被保持物としてのカレンダー１５を引掛け保持するフック部が構成される。このため、壁面額部２を所定箇所に設置することで、日用品などを被保持物として保持部に引っ掛けておく便宜が得られる。カレンダー１５を日用品として適用した場合、引掛手段１２により自前のカレンダー１５を身近な壁面額部２に取付け保持し、該当する曜日に必要事項を記入して個人的に使用することができて便利である。【選択図】図１
2015228881.tif 000002
【特許請求の範囲】
【請求項１】
互いに対向する表層シートと裏層シートとの間に、間隔保持部材としての中芯材を挟持したプラスチックダンボールから成る壁面額部と、前記壁面額部に取り付けられる刺込み部および保持部を一体に有し、前記保持部に被保持物を引掛け保持する引掛手段とを備える引掛け壁面体において、
前記表層シートの所定箇所から前記中芯材にかけて形成した差込み孔部を設け、前記差込み孔部に前記刺込み部を挿入することにより、前記引掛手段を前記壁面額部に取付け保持することを特徴とする引掛け壁面体。
【請求項２】
互いに対向する表層シートと裏層シートとの間に、間隔保持部材としての中芯材を挟持したプラスチックダンボールから成る壁面額部と、前記壁面額部に取り付けられる刺込み部および保持部を一体に有し、前記保持部に被保持物を引掛け保持する引掛手段とを備える引掛け壁面体において、
前記刺込み部を前記表層シートの所定箇所から刺し込むことにより、前記刺込み部を前記中芯材に貫通させて、前記引掛手段を前記壁面額部に取付け保持することを特徴とする引掛け壁面体。
【請求項３】
前記被保持物を引掛け保持する前記保持部は、上端に止め玉部を有する縦線部と前記縦線部に連続する横線部とからＬ字状を成し、前記刺込み部は、上下の径方向および左右の径方向がそれぞれ前記横線部と直交するように曲成されたリング状の金属線部であることを特徴とする請求項１に記載の引掛け壁面体。
【請求項４】
前記引掛手段は長手方向に沿ってくの字状あるいはＬ字状に曲成された細辺部から成り、前記細辺部の上半部を前記保持部とし、前記細辺部の下半部を前記刺込み部とし、前記刺込み部の下端に刃状部を形成したことを特徴とする請求項２に記載の引掛け壁面体。
【請求項５】
前記刺込み部と前記保持部とには、保護用の管状カバーが相互に交換可能に挿入装着されるようになっており、前記管状カバーを前記刺込み部に挿入装着した際には、前記管状カバーにより前記刃状部が覆われるようにしたことを特徴とする請求項４に記載の引掛け壁面体。  
【請求項６】
前記被保持物は、複数枚のカレンダーシートを揃えて成るカレンダーであり、前記複数枚のカレンダーシートに一括穿孔して形成した貫通孔を前記縦線部から前記横線部に挿入することにより、前記カレンダーを前記保持部に引掛け保持したことを特徴とする請求項３に記載の引掛け壁面体。
【請求項７】
前記被保持物を前記保持部に取付け保持する前記壁面額部は、上下に複数枚連結されて吊下げ状態に配置されることを特徴とする請求項１あるいは請求項２に記載の引掛け壁面体。
【請求項８】
前記被保持物は、日常使用する日用品としての装身具であることを特徴とする請求項７に記載の引掛け壁面体。
【請求項９】
請求項１あるいは請求項２に記載の前記引掛け壁面体における前記壁面額部を二枚重ね合せて構成し、一方の前記壁面額部に対して他方の前記壁面額部を９０°だけ左右のいずれかに回転させた重合位置で、透光性を有する前記二枚の壁面額部の間には、装飾用の挿入紙を挟入したことを特徴とする引掛け壁面体。
【請求項１０】
請求項１あるいは請求項２に記載の前記引掛け壁面体における前記壁面額部を四方に組み付けて構成した縦形筒体から成ることを特徴とする卓上用の小物入れ。
【請求項１１】
請求項１あるいは請求項２に記載の前記引掛け壁面体における前記壁面額部を箱体の左右内壁に対向状態に配置し、左右に配置した前記壁面額部の前記保持部に載置して掛け渡した棚板を有して成ることを特徴とする棚箱。
【発明の詳細な説明】
【技術分野】
【０００１】
本発明は、プラスチックダンボールから成る壁面額部に係り、壁面額部に引掛手段を取付け保持し、保持部に被保持物を引掛けるように改良した引掛け壁面体、ならびに引掛け壁面体により作製した小物入れおよび棚箱に関する。
【背景技術】
【０００２】
プラスチックダンボール（通常、プラダンと略称される）は、防水性で軽量でありながらも堅牢で取り扱い易いことから、様々な用途に利用されている。プラスチックダンボールに関する創作物としては、様々な手法を用いて工夫した各種の改良品が特許文献１〜４に開示されている。
【０００３】
特許文献１に記載されたプラスチックダンボール容器では、プラスチック容器のフレーム部材凹所に裁断部を嵌合した上で、リベット融着により強固に接合している。これにより、ダンボールシートの裁断面からの水分や異物などの侵入を防止し、プラスチック容器の洗浄により繰り返し使用を可能としている。
【０００４】
特許文献２は、紙やプラスチック製の段ボール又は板材で什器を形成する方法であって、支持板、骨枠、周壁材、側壁、天板およびフラップなどから構成されている。これにより、軽量で移動や運搬がし易く、ダイレクト印刷が可能で、イベントや店舗用の什器として最適な構成を記載している。
【０００５】
特許文献３は、ガロンボトルの収納用コンテナを開示し、両方の面壁段ボールと底壁とに有するダブル折れ線で二つ折りする折畳み構造を有する。これにより、コンテナ本体を通箱として使用するために折畳み可能とし、底部が底抜けしないように構成している。
【０００６】
特許文献４は、建築物に使用する板状の断熱材に係る発明を開示している。二枚のプラスチックシート間にリブを挟むことで、中空構造のプラスチック段ボールを構成している。プラスチック段ボールの表面や裏面は、輻射熱に対して高反射率を有する金属材料層を塗布した複合断熱材を構築している。
【先行技術文献】
【特許文献】
【０００７】
【特許文献１】特開２０１３−０１４３７８号公報
【特許文献２】特開２０１２−２４５０６８号公報
【特許文献３】特開２０１２−１２１５８０号公報
【特許文献３】特開２０１２−０６７５７５号公報
【発明の概要】
【発明が解決しようとする課題】
【０００８】
特許文献１〜４では、いずれも、プラスチック段ボール材料を用いて容器、什器あるいはコンテナや建築用の断熱材を形成するものである。
近年では、プラスチック段ボールを用いた新たな創作物を工夫する機運が醸成されており、従来とは異なる観点からプラスチック段ボールの利用方法を再考し、発想の転換を図ってプラスチック段ボールにおける用途の拡大・多様化が望まれていた。
【０００９】
本発明は上記事情に鑑みてなされたもので、その目的は従来とは異なった観点からプラスチック段ボールの利用を図り、プラスチックダンボールから成る壁面額部と、壁面額部に取り付けられる刺込み部および保持部を一体に有し、保持部に被保持物を引掛け保持する引掛手段とを備える簡便で使い易い引掛け壁面体、小物入れおよび棚箱を提供することにある。  
【課題を解決するための手段】
【００１０】
（請求項１について）
引掛け壁面体において、壁面額部は、互いに対向する表層シートと裏層シートとの間に、両者の間隔保持部材としての中芯材を挟持したプラスチックダンボールから成る。引掛手段は、壁面額部に取り付けられる刺込み部および保持部を一体に有し、保持部に被保持物を引掛け保持する。
表層シートの所定箇所から中芯材にかけて形成した差込み孔部を設け、差込み孔部に刺込み部を挿入することにより、引掛手段を壁面額部に取付け保持している。
【００１１】
請求項１では、引掛手段の刺込み部を差込み孔部に挿入することで、被保持物を引掛け保持するフック部が構成される。このため、壁面額部を所定箇所に設置することで、日用品などを被保持物として保持部に引っ掛けておく便宜が得られ、簡便で使い易い引掛け壁面体が得られる。
【００１２】
（請求項２について）
引掛け壁面体において、壁面額部は、互いに対向する表層シートと裏層シートとの間に、両者の間隔保持部材としての中芯材を挟持したプラスチックダンボールから成る。引掛手段は、壁面額部に取り付けられる刺込み部および保持部を一体に有し、保持部に被保持物を引掛け保持する。
刺込み部を表層シートの所定箇所から刺し込むことにより、刺込み部を中芯材に貫通させて、引掛手段を壁面額部に取付け保持している。
【００１３】
請求項２では、引掛手段の刺込み部を表層シートから中芯材にかけて刺し込むことで、被保持物を引掛け保持するフック部が構成される。このため、壁面額部を所定箇所に設置することで、日用品などを被保持物として保持部に引っ掛けておく便宜が得られ、簡便で使い易い引掛け壁面体が得られる。
【００１４】
（請求項３について）
被保持物を引掛け保持する保持部は、上端に止め玉部を有する縦線部と横線部とからＬ字状を成す。刺込み部は、上下の径方向および左右の径方向がそれぞれ横線部と直交するように曲成されたリング状の金属線部を構成する。
【００１５】
請求項３では、保持部は、上端に止め玉部を有する縦線部、この縦線部に連続する横線部およびリング状の金属線部から成る。
この場合、保持部は金属線でよいので、保持部の構成が簡素でコスト的に有利となる。また、縦線部の上端には、止め玉部を形成しているので、保持部に被保持物を引掛け保持した際、被保持物が保持部から不用意に抜け出さない。
【００１６】
（請求項４について）
引掛手段は長手方向に沿ってくの字状あるいはＬ字状に曲成された細辺部から成る。細辺部の上半部を保持部とし、細辺部の下半部を刺込み部とし、刺込み部の下端に刃状部を形成している。
【００１７】
請求項４では、細辺部の下半部を刺込み部とし、刺込み部の下端に刃状部を形成しているので、表層シートの所定箇所から中芯材にかけて容易に刺し込みことができて、引掛手段を壁面額部に取付け保持し易くしている。
【００１８】
（請求項５について）
刺込み部と保持部とには、保護用の管状カバーが相互に交換可能に挿入装着されるようになっている。管状カバーを刺込み部に挿入装着した際には、管状カバーにより刃状部が覆われるようにしている。
【００１９】
請求項５では、管状カバーを刺込み部に挿入装着した際、管状カバーが刃状部を覆うので、刃状部が露出せず使用者の手指に触れることを防いで使用者を怪我から護る利点がある。
【００２０】
（請求項６について）
被保持物は、複数枚のカレンダーシートを揃えて成るカレンダーである。複数枚のカレンダーシートに穿孔して形成した貫通孔を縦線部から横線部に挿入してカレンダーを保持部に引掛け保持する。
請求項６では、引掛手段により自前のカレンダーを身近な壁面額部に取付け保持し、該当する曜日に必要事項を記入して個人的に使用できる便宜が得られる。
【００２１】
（請求項７について）
被保持物を保持部に取付け保持する壁面額部は、上下に複数枚連結されて吊下げ状態に配置される。
請求項７では、壁面額部を複数枚連結しているので、壁面額部の使用面積が広くなり、被保持物が大きなものであっても支障なく、引掛手段に引掛け保持することができる。
【００２２】
（請求項８について）
被保持物は日常使用する日用品としての装身具である。
請求項８では、帽子の使用後に、帽子やネクタイなどの装身具を引掛手段により壁面額部に保持させ、必要に応じて帽子やネクタイを引掛手段から取り出して使用できる便宜がある。
【００２３】
（請求項９について）
二枚の壁面額部を重ね合せて構成し、一方の壁面額部に対して他方の壁面額部を９０°だけ左右のいずれかに回転させた重合位置で、透光性を有する二枚の壁面額部の間には、装飾用の挿入紙を挟入している。
【００２４】
請求項９では、９０°の回転角度の違いをもって二枚の壁面額部を重ね合せて構成しているので、二枚の壁面額部が複合材として曲げ強度を増加させている。また、装飾用の挿入紙を写真や絵画として挟入することで親近性を高めることができる。
【００２５】
（請求項１０について）
引掛け壁面体の壁面額部を四方に組み付けて構成した縦形筒体を卓上用の小物入れとして設けている。
請求項１０では、卓上用の小物入れが軽量かつ簡素な構造となり、廉価で便利なものになる。
【００２６】
（請求項１１について）
引掛け壁面体の壁面額部を箱体の左右内壁に対向状態に配置し、左右に配置した壁面額部の保持部に載置して掛け渡した棚板を有して成る棚箱を設けている。
請求項１１では、棚箱を簡易に組み付けることができ、安価で使い易い便利なものとして提供することができる。
【図面の簡単な説明】
【００２７】
【図１】保持部にカレンダーを引掛け保持する引掛け壁面体を示す斜視図である（実施例１）。
【図２】（ａ）はカレンダーと一緒に示す引掛け壁面体の斜視図、（ｂ）は専用工具により壁面額部に差込み孔部を形成する態様を示す斜視図である（実施例１）。
【図３】（ａ）、（ｂ）は引掛手段を示す斜視図、（ｃ）は引掛手段により壁面額部に差込み孔部を形成する態様を示す斜視図である（実施例２）。
【図４】上下に連結した引掛け壁面体を示す斜視図である（実施例３）。
【図５】挿入紙を挟入して重ね合せた二枚の引掛け壁面体を示す斜視図である（実施例４）。
【図６】壁面額部に保持する各種の被保持物を例示する斜視図である（実施例５）。
【図７】（ａ）〜（ｉ）は引掛手段の類型を例示する斜視図である（実施例６）。
【図８】引掛け壁面体から構成した小物入れを示す斜視図である（実施例７）。
【図９】引掛け壁面体から構成した棚箱示す斜視図である（実施例８）。
【図１０】引掛け壁面体の壁面額部を取付部に掲示板として取付けた態様を示す斜視図である（実施例９）。
【図１１】（ａ）〜（ｃ）は専用工具の類型を示す斜視図である（実施例１０）。
【図１２】立て板部の表面で、壁面額部、縦型トレーおよび被保持物を示す分解斜視図である（実施例１１）。
【図１３】立て板部の裏面で、壁面額部、縦型トレーおよび被保持物を示す分解斜視図である（実施例１１）。
【発明を実施するための形態】
【００２８】
本発明に係る引掛け壁面体、小物入れおよび棚箱では、引掛手段の刺込み部を差込み孔部に挿入することで、被保持物を引掛け保持するフック部が構成される。このため、壁面額部を所定箇所に設置することで、被保持物として日用品などを保持部に引っ掛けておく便宜が得られ、簡便で使い易い引掛け壁面体となる。
【実施例】
【００２９】
〔実施例１の構成〕
図１および図２は本発明の実施例１を示す。図１に示す引掛け壁面体１において、壁面額部２はプラスチックダンボールから成り、互いに対向する表層シート３と裏層シート４との間に、両者の間隔保持部材としての中芯材５を挟持している。
この中芯材５の代わりに、例えば波状板あるいは凹凸状に起伏するコルゲート板を設けてもよい。プラスチックダンボールの材料としては、軟材としてポリプロピレン（ＰＰ）が代表例に挙げられ、硬材としてポリカーボネイト（ＰＣ）が代表例に挙げられる。実施例１では、壁面額部２の表裏を表層シート３と裏層シート４と命名したが、両者は実質的に区別がつかないので、後述する引掛手段１２は両者のいずれにも取付け可能で保持することができる。
【００３０】
壁面額部２の図示左右端には、断面コ字状の結束板６、７が嵌合され、壁面額部２の図示上下端には、断面コ字状の結束板８、９が嵌合されている。壁面額部２の上段左右および下段左右には、表層シート３の所定箇所に複数個にわたって形成した差込み孔部１０を設けている。差込み孔部１０の形成にあたっては、図２（ｂ）に示す専用工具１１を用いる。この専用工具１１は、先端部が延出長さＮ（１ｃｍ〜５ｃｍ）にわたって緩やかに上方湾曲する延出部１１ａを有する。
【００３１】
延出部１１ａの先端は、幅広になって刃端部１１ｂとして機能する。表層シート３の所定箇所から中芯材５にかけて刃端部１１ｂを一時的に刺し込むことにより、差込み孔部１０を形成している。この時、刃端部１１ｂは、中芯材５に進行するものの、表層シート３に刺さることがなく、ましてや表層シート３を突き抜けて貫通することはない。
差込み孔部１０の一例としては、中芯材５の横筋５ａに沿って２ｍｍ〜５ｍｍの長さを有するスリット状に形成されている。
【００３２】
引掛手段１２は、壁面額部２に取り付けられる刺込み部１３および保持部１４を一体に有し、後述するように保持部１４に被保持物を引掛け保持する。保持部１４は、図２（ｂ）に示すように、例えばステンレス鋼製の縦線部１４ａと、この縦線部１４ａに連続する横線部１４ｂとからＬ字状の構造体を成している。
刺込み部１３は上下の径方向Ｓおよび左右の径方向Ｔがそれぞれ横線部１４ｂと直交するように曲成されたリング状の金属線部１３ａを構成する。縦線部１４ａの先端（上端）には、プラスチック製の止め玉部１４ｃを径小に形成し、後述するように、保持部１４に被保持物を引掛け保持した際、被保持物が保持部１４から不用意に抜け出さないようにしている。
【００３３】
引掛手段１２の刺込み部１３（金属線部１３ａ）を差込み孔部１０に挿入することにより、引掛手段１２を壁面額部２に取付け保持している。被保持物として、複数枚のカレンダーシート１５ａを揃えたカレンダー１５を設けている。
【００３４】
複数枚のカレンダーシート１５ａには、図１に示すように、穿孔により形成した貫通孔１５ｂを設けている。カレンダーシート１５ａの貫通孔１５ｂを上段および下段における保持部１４の縦線部１４ａから横線部１４ｂにそれぞれ挿入してカレンダー１５を保持部１４に引掛け保持する。
カレンダー１５の上縁部には、断面Ｌ字状の細辺状に形成された抑え板１５ｃが添えられ、カレンダーシート１５ａを反らせることなく平坦状に揃えている。
【００３５】
壁面額部２の表層シート３には、カレンダー１５の裏面に位置する磁性板１６、１７が上下に貼着されている。表層シート３の下端部に貼着された磁性シート１８には、消しゴム１９、鉛筆１９ａおよびポインター１９ｂが磁石体（図示せず）の磁気力により吸着されている。磁石製のポンター２１は、図２（ａ）に示すように、カレンダー１５の該当日に吸着させることができる。
【００３６】
〔実施例１の効果〕
実施例１では、引掛手段１２の刺込み部１３（金属線部１３ａ）を差込み孔部１０に挿入することで、被保持物としてのカレンダー１５を引掛け保持するフック部が構成される。このため、壁面額部２を所定箇所に設置することで、日用品などを被保持物として保持部１４に引っ掛けておく便宜が得られ、簡便で使い易い引掛け壁面体１が得られる。
【００３７】
保持部１４は、縦線部１４ａ、横線部１４ｂおよびリング状の金属線部１３ａから成る金属線でよいので、保持部１４の構成が簡素でコスト的に有利となる。
被保持物として、複数枚のカレンダーシート１５ａを揃えて成るカレンダー１５を例示した。これにより、引掛手段１２により自前のカレンダー１５を身近な壁面額部２に取付け保持し、該当する曜日に必要事項を記入して個人的に使用できる便宜が得られる。
【００３８】
〔実施例２の構成〕
図３は本発明の実施例２を示す。実施例２が実施例１と異なるところは、専用工具１１に代わって、引掛手段１２の刺込み部１３自体を表層シート３に直接刺し込むようにしたことである。
【００３９】
実施例２における引掛手段１２は、図３（ａ）に示すように、長手方向に沿ってくの字状あるいはＬ字状に曲成された金属製の細辺部２０から成る。細辺部２０の上半部を保持部１４とし、細辺部２０の下半部を刺込み部１３とし、刺込み部の下端に刃状部１３ｃを形成している。
刺込み部１３と保持部１４とには、保護用の管状カバー２１が相互に交換可能に挿入装着されるようになっている。図３（ｂ）に示すように、管状カバー２１を刺込み部１３に挿入装着した際には、管状カバー２１により刃状部１３ｃが覆われるようにしている。
【００４０】
〔実施例２の効果〕
実施例２では、図３（ｃ）に示すように、引掛手段１２の刺込み部１３を表層シート３から中芯材５にかけて刺し込むことで、被保持物を引掛け保持するフック部が構成される。このため、壁面額部２を所定箇所に設置することで、日用品などを被保持物として保持部１４に引っ掛けておく便宜が得られ、簡便で使い易い引掛け壁面体１が得られる。なお、実施例２では、刃状部１３ａを表層シート３に刺し込むことで生じたスリットを差込み孔部１０としている。
【００４１】
とりわけ、実施例２では、細辺部２０の下半部を刺込み部１３とし、刺込み部１３の下端に刃状部１３ａを形成している。このため、表層シート３の所定箇所から中芯材５にかけて容易に刺し込みことができて、引掛手段１２を壁面額部２に取付け保持し易い利点が有る。
また、管状カバー２１を刺込み部１３に挿入装着した際、管状カバー２１が刃状部１３ａを覆うので、刃状部１３ａが露出せず使用者の手指に触れることを防いで使用者を怪我から護ることができる。
【００４２】
〔実施例３の構成〕
図４は本発明の実施例３を示す。実施例３が実施例１と異なるところは、保持用壁面装置１Ａを二枚の壁面額部２（引掛け壁面体１）から構成したことである。
二枚の壁面額部２は、例えば接続リング３０により上下に連結されている。引掛手段１２には、日用品として帽子３１ａ、３１ｂやネクタイ３２などの装身具を被保持物として引掛け保持している。この場合、上段の壁面額部２は、天井や腕部を有する支持部材３２ａから垂下する吊下げ状態に設置される。
【００４３】
実施例３では、壁面額部２を二枚連結しているので、壁面額部２の使用面積が広くなり、被保持物が帽子３１ａ、３１ｂやネクタイ３２のように大きなものであっても支障なく、引掛手段１２に引掛け保持することができる。
また、被保持物は日常的に使用する帽子３１ａ、３１ｂやネクタイ３２などの装身具であるため、その使用後には引掛手段１２により帽子３１ａ、３１ｂやネクタイ３２を壁面額部２に保持させ、必要に応じて帽子３１ａ、３１ｂやネクタイ３２を引掛手段１２から取り出して使用できる便宜がある。
【００４４】
〔実施例４の構成〕
図５は本発明の実施例４を示す。実施例４が実施例１と異なるところは、引掛け壁面体１を二枚の壁面額部２を重ね合せて構成したことである。
一方の壁面額部２に対して他方の壁面額部２を９０°だけ左右のいずれかに回転させた重合位置に配置している。透光性を有する二枚の壁面額部２の間には、装飾用の挿入紙３３ａ、３３ｂ、３３ｃを挟入している。
【００４５】
実施例４では、９０°の回転角度の違いをもって二枚の壁面額部２を重ね合せて構成しているので、二枚の壁面額部２が複合材として曲げ強度を増加させている。また、装飾用の挿入紙３３ａ、３３ｂ、３３ｃを写真や絵画として挟入することで使用者の親近性を高めることができる。なお、実施例４の構成は実施例２に適用してもよい。
【００４６】
〔実施例５の構成〕
図６は本発明の実施例５を示す。実施例５が実施例１と異なるところは、被保持物としてのカレンダー１５に代わって、引掛手段１２に各種の日用品を引掛け保持したことである。日用品としては、携帯電話３４、眼鏡３５、各種のキー３６、腕時計３７、ネックレス３８、数珠３９、置き時計３９ａおよび温湿度計３９ｂを例示している。
【００４７】
〔実施例６の構成〕
図７は本発明の実施例６を示す。実施例６が実施例１と異なるところは、引掛手段１２の形状をバリエーションとして追加したことである。
図７（ａ）に示す引掛手段１２では、引掛手段１２を硬質の合成樹脂（例えば、ポリカーボネイト）により椅子形に形成し、保持部１４と刺込み部１３と間を座部１４ｅとし、最下端に刃状部１３ｃを設けている。
【００４８】
図７（ｂ）に示す引掛手段１２では、金属線をループ状に曲成して、保持部１４、刺込み部１３および座部１４ｅから成る椅子形に形成している。
図７（ｃ）に示す引掛手段１２では、金属棒をコ字状に湾曲形成し、保持部１４および刺込み部１３を設け、先端部を刃先部１３ｆとしている。
図７（ｄ）に示す引掛手段１２では、直線状の刺込み部１３から上方にループ状に曲成した環状部を保持部１４としている。
【００４９】
図７（ｅ）に示す引掛手段１２では、直線状の刺込み部１３に対して折曲形成された横腕部を保持部１４としている。
図７（ｆ）に示す引掛手段１２では、リング状の保持部１４から下方に延出する脚部を隣接状態に揃えて成る刺込み部１３を有する。揃えられた脚部は、圧潰されて肉薄の刺込み部１３となっている。
図７（ｇ）に示す引掛手段１２では、金属棒で形成された保持部１４をＬ字状に折曲している。
【００５０】
図７（ｈ）に示す引掛手段１２では、保持部１４はコ字状を成し、保持部１４の両端からは、例えば９０°の角度で折り曲げられて二本の刺込み部１３を直線状に形成している。
図７（ｉ）に示す引掛手段１２では、Ｕ字状を成す刺込み部１３の両端部には、Ｌ字状の線状部１４ｅ、１４ｆを保持部１４として連続形成している。保持部１４の線状部１４ｅ、１４ｆの上端には、止め玉部１４ｃを取り付けている。引掛手段１２を引掛け保持する際、線状部１４ｅ、１４ｆを指で摘んで近接させるように一時的に変形することにより、刺込み部１３が弾性変形により幅狭になり、差込み孔部１０へ差し込み易くなる。
【００５１】
〔実施例７の構成〕
図８は本発明の実施例７を示す。実施例７が実施例１と異なるところは、引掛け壁面体１の壁面額部２を四方に組み付けて構成した縦形筒体４０を卓上用の小物入れ４１として設けたことである。縦形筒体４０は四角筒状の箱体を成し、卓上に設置される基板４０ａ上に立設されている。
縦形筒体４０内には、鉛筆４２などの筆記用具や眼鏡４３などの身近な日用品を収納しておくことができる。縦形筒体４０における壁面額部２の保持部１４には、メモ帳４０ｂなどの小物を紐体４０ｃを介して引掛け保持しておくことができる。
実施例７では、卓上用の小物入れ４１が軽量かつ簡素な構造となり、廉価で便利なものになる。
【００５２】
〔実施例８の構成〕
図９は本発明の実施例８を示す。実施例８が実施例１と異なるところは、引掛け壁面体１の壁面額部２を箱体５０の左右内壁に対向状態に配置し、左右に配置した壁面額部２の保持部１２に載置して掛け渡した棚板５１を有して成る矩形の棚箱５２を設けたことである。
【００５３】
この場合の引掛手段１２は、図９に拡大して示すように、金属線でループ状に形成した保持部１４と、保持部１４の両端から下方に延出する金属線を接触状態に揃えた刺込み部１３から成る。これにより、棚板５１の左右の側端部は、保持部１４上に載置される状態で支持される。
実施例８では、棚箱５２を簡易に組み付けることができ、安価で使い易い便利なものとして提供することができる。なお、棚板５１上には、郵便物や取引書類などを入れる浅底のトレー５３を出入れ可能に載置してもよい。
【００５４】
〔実施例９の構成〕
図１０は本発明の実施例９を示す。実施例９が実施例１と異なるところは、引掛け壁面体１の壁面額部２を取付部５４ａに掲示板５４として取付けたことである。
この場合、引掛手段１２は、磁性体から成る矩形辺状の保持部１４と長辺状の刺込み部１３を有している。引掛手段１２は、刺込み部１３を介して差込み孔部１０に装着されるものである。この状態で、例えばメモ用紙５５を被保持物として磁石辺５６と保持部１４との間に挟むことにより、メモ用紙５５を保持部１４に吸着保持することができる。
【００５５】
引掛け壁面体１は家屋や建物内の各部屋で、縦型に設置して用いることができるが、実施例９のように、各種の学校や官公庁で絵画、写真、通知書、伝言書、告知書などの情報手段を保持する掲示板５４として用いることができる。
【００５６】
〔実施例１０の構成〕
図１１は本発明の実施例１０を示す。実施例１０は、実施例１おける専用工具１１の類型を示す。
図１１（ａ）に示す専用工具１１は、把持部１１ｃから緩やかに湾曲する肉薄で細辺状の延出部１１ａを有し、先端部を刃端部１１ｂとしている。この場合、刃端部１１ｂを延出部１１ａの背面（外側）に形成し、刃端部１１ｂが表層シート３から中芯材５に貫通し易くし、不用意に裏層シート４に届かないようにしている。
【００５７】
図１１（ｂ）に示す専用工具１１は、把持部１１ｃと、金属から形成された丸棒状の延出部１１ａを有し、先端部を刃端部１１ｂとしている。
図１１（ｃ）に示す専用工具１１は、図１１（ｂ）の延出部１１ａを圧潰して薄肉・幅広の細辺状に形成したものである。
実施例１０では、壁面額部２に形成する差込み孔部１０の形状（スリット状、丸孔状など）に応じ、上記三種類のうち所望の専用工具１１を選ぶことができる。
【００５８】
〔実施例１１の構成〕
図１２および図１３は本発明の実施例１１を示す。実施例１１が実施例１と異なるところは、引掛け壁面体１の壁面額部２をプラスチック段ボールから形成された卓上型の立て板部６０に着脱可能に引掛け保持したことである。
【００５９】
立て板部６０は断面逆Ｔ字状の設置部６０Ａを有し、その表面６０ａには、図１２に示すように、引掛手段１２を保持した壁面額部２が引掛け刺込部６１を介して取り付けられるようになっている。この際、引掛け刺込部６１の先端部６１ａを表面６０ａの先端部に引っ掛けて取り付ける構成である。
引掛手段１２には、各種の被保持物６３、６４が収納された縦型トレー６２が孔部６５、６６を介して引掛手段１２に引掛け保持されるようになっている。被保持物６３、６４としては、ノートや接着剤などの工作用具などを含む。
【００６０】
また、立て板部６０の裏面６０ｂには、図１３に示すように、引掛手段１２を保持した壁面額部２が引掛け刺込部７１の先端部７１ａを介して取り付けられるようになっている。引掛手段１２には、各種の被保持物７３、７４が収納された縦型トレー７２が孔部７５、７６を介して引掛手段１２に引掛け保持されるようになっている。被保持物７３、７４としては、物差し、筆記用具および紙片クリップを含む。
実施例１１では、立て板部６０の表面６０ａおよび裏面６０ｂには、被保持物６３、６４（７３、７４）が収納された縦型トレー６２（７２）を引掛手段１２に引掛け保持できる。このため、縦型トレー６２（７２）に対して被保持物６３、６４（７３、７４）を簡単に素早く出し入れできる便宜がある。
【００６１】
〔変形例〕
（ａ）実施例１〜１１における壁面額部２は、ポリプロピレン（ＰＰ）やポリカーボネイト（ＰＣ）に限らず、ポリエチレン（ＰＥ）、ポリメタノール（ＰＯＭ）、ポリブチレンテレフタレート（ＰＢＴＦ）あるいはポリプロエチレン（ＰＰＥ）などのエンジニアリングプラスチックであってもよい。
【００６２】
（ｂ）実施例３における壁面額部２は、二枚に限らず、三枚など複数枚上下に連結してもよい。実施例４における壁面額部２も二枚に限らず、三枚など複数枚重ね合せて構成してもよい。
（ｃ）実施例２における細辺部２０は、ニッケル系ステンレス鋼をはじめ、アルミニウム、軟鋼、鉄、銅あるいは真鍮などの金属であってもよい。
【００６３】
（ｄ）ポインター２１の磁石体としては、ネオジウム磁石、ネオジウム磁石、ＫＳ鋼、ＭＫ鋼、アルニコ磁石、フェライト磁石、サマリウムコバルト磁石、あるいは磁石と磁性体とを組み合わせた複合磁石を用いてもよい。
【産業上の利用可能性】
【００６４】
本発明では、引掛手段の刺込み部を差込み孔部に挿入することで、被保持物を引掛け保持するフック部が構成される。このため、壁面額部を所定箇所に設置することで、日用品などを被保持物として保持部に引っ掛けておく便宜が得られ、簡便で使い易い引掛け壁面体を提供することができる。この便宜性に着目し、引掛け壁面体に関する製造業界の需要を喚起し、関連部品の流通などを介して化学・機械産業に適用することができる。
【符号の説明】
【００６５】
１          引掛け壁面体
２          壁面額部
３          表層シート
４          裏層シート
５          中芯材
１０        差込み孔部
１２        引掛手段
１３        刺込み部
１３ａ      金属線部
１３ｃ      刃状部
１３ｆ      刃先部
１４        保持部
１４ａ      縦線部
１４ｂ      横線部
１４ｃ      止め玉部
１５ａ      カレンダーシート
１５        カレンダー（被保持物）
２０        細辺部
３０        接続リング
３１ａ、３１ｂ  帽子（被保持物、装身具）
３２        ネクタイ（被保持物、装身具）
３３ａ、３３ｂ、３３ｃ  挿入紙
４０        縦形筒体
４１        小物入れ
５０        箱体
５１        棚板
５２        棚箱
Ｔ          左右の径方向
Ｓ          上下の径方向
【図１】
2015228881.tif 000003
【図２】
2015228881.tif 000004
【図３】
2015228881.tif 000005
【図４】
2015228881.tif 000006
【図５】
2015228881.tif 000007
【図６】
2015228881.tif 000008
【図７】
2015228881.tif 000009
【図８】
2015228881.tif 000010
【図９】
2015228881.tif 000011
【図１０】
2015228881.tif 000012
【図１１】
2015228881.tif 000013
【図１２】
2015228881.tif 000014
【図１３】
2015228881.tif 000015